(57)【要約】【課題】ユーザが車両から離れた位置から車両の空調装置を始動させる場合に、ユーザの位置情報を考慮して空調装置を作動させることが可能なリモート空調始動システム等を提供する。【解決手段】ユーザの携帯端末と、携帯端末と通信可能なセンタサーバと、空調装置を備え、センタサーバと通信可能な車両と、を含み、ユーザによる所定操作に基づき携帯端末からセンタサーバに送信される始動要求に応じて空調装置を始動させるリモート空調始動システムであって、携帯端末の位置情報を取得するユーザ位置情報取得部と、車両の位置情報を取得する車両位置情報取得部と、携帯端末の位置情報と車両の位置情報とに基づき、始動要求に基づく始動タイミングを含む空調装置の制御を行う制御部と、を備える。【選択図】図５
2018122838.tif 000002
【特許請求の範囲】
【請求項１】
ユーザの携帯端末と、前記携帯端末と通信可能なセンタサーバと、空調装置を備え、前記センタサーバと通信可能な車両と、を含み、ユーザによる所定操作に基づき前記携帯端末から前記センタサーバに送信される始動要求に応じて前記空調装置を始動させるリモート空調始動システムであって、
前記携帯端末の位置情報を取得するユーザ位置情報取得部と、
前記車両の位置情報を取得する車両位置情報取得部と、
前記携帯端末の位置情報と前記車両の位置情報とに基づき、前記始動要求に基づく始動タイミングを含む前記空調装置の制御を行う制御部と、を備える、
リモート空調始動システム。
【請求項２】
前記制御部は、前記始動要求に基づき前記空調装置を始動させ、当該始動以降を起点として設定時間が経過した場合、前記空調装置を停止させると共に、前記車両の位置情報と前記携帯端末の位置情報とに基づく前記車両と前記携帯端末との距離が長くなるほど、前記設定時間を長くする、又は、前記空調装置を始動させるタイミングを遅くする、
請求項１に記載のリモート空調始動システム。
【請求項３】
前記制御部は、前記携帯端末から前記始動要求が送信された後において、前記携帯端末の位置情報に基づきユーザの立ち止まりの行動又は車両から離れる行動が確認された場合、前記設定時間を長くする、又は、前記空調装置を始動させるタイミングを遅くする、
請求項２に記載のリモート空調始動システム。
【請求項４】
前記制御部は、前記携帯端末の位置情報と前記車両の位置情報とに基づく前記車両と前記携帯端末との距離が所定閾値を超えている場合、前記空調装置の始動を制限する、
請求項１乃至３の何れか一項に記載のリモート空調始動システム。
【請求項５】
前記制御部は、前記携帯端末の位置情報に基づき把握された、前記所定操作の入力からユーザが前記車両に到着するまでの過去のユーザの行動パターンに関する学習データに基づき、前記空調装置を制御する、
請求項１乃至４の何れか一項に記載のリモート空調始動システム。
【請求項６】
前記携帯端末に設けられ、前記制御部によって、前記携帯端末の位置情報と前記車両の位置情報とに基づき、前記空調装置が制御される場合に、ユーザにその旨を通知する通知部を備える、
請求項１乃至５の何れか一項に記載のリモート空調始動システム。
【請求項７】
ユーザの携帯端末と、前記携帯端末と通信可能なセンタサーバと、空調装置を備え、前記センタサーバと通信可能な車両と、を含み、ユーザによる所定操作に基づき前記携帯端末から前記センタサーバに送信される始動要求に応じて前記空調装置を始動させるリモート空調始動システムであって、
前記携帯端末の位置情報を取得するユーザ位置情報取得部と、
前記車両の位置情報を取得する車両位置情報取得部と、
前記携帯端末に設けられ、前記携帯端末の位置情報と、前記車両の位置情報とに基づき、前記携帯端末から設定可能な前記空調装置の始動タイミングを含む制御仕様に関する推奨情報、又は前記空調装置の始動制限を推奨する制限情報を通知する通知部と、を備える、
リモート空調始動システム。
【請求項８】
前記始動要求に基づき、前記空調装置を始動させ、当該始動以降を起点として設定時間が経過した場合、前記空調装置を停止させる制御部を備え、
前記通知部は、前記携帯端末の位置情報と前記車両の位置情報とに基づく前記車両と前記携帯端末との距離が長くなるほど、前記設定時間を長くする、又は、始動タイミングを遅くする前記推奨情報を通知する、
請求項７に記載のリモート空調始動システム。
【請求項９】
前記通知部は、前記携帯端末の位置情報と前記車両の位置情報とに基づく前記車両と前記携帯端末との距離が所定閾値を超えている場合、前記空調装置の始動制限を推奨する前記制限情報を通知する、
請求項７に記載のリモート空調始動システム。
【請求項１０】
ユーザの携帯端末、及び空調装置を備える車両と通信可能に接続され、ユーザによる所定操作に応じて前記携帯端末から送信される前記空調装置の始動要求を受信すると共に、該始動要求を前記車両に送信することにより前記空調装置を始動させるセンタサーバであって、
前記携帯端末の位置情報を取得するユーザ位置情報取得部と、
前記車両の位置情報を取得する車両位置情報取得部と、
前記携帯端末の位置情報と前記車両の位置情報とに基づき、前記空調装置を制御させる制御指令を生成する、又は、前記携帯端末の位置情報と前記車両の位置情報とに基づき、前記携帯端末から設定可能な前記空調装置の制御仕様に関する推奨情報、又は前記空調装置の始動制限を推奨する制限情報を通知させる通知指令を生成する指令部と、
前記制御指令を前記車両に送信する、又は、前記通知指令を前記携帯端末に送信する送信部と、を備える、
センタサーバ。
【発明の詳細な説明】
【技術分野】
【０００１】
本発明は、リモート空調始動システム等に関する。
【背景技術】
【０００２】
ユーザがリモコンを利用して、車両と離れた場所からエンジン及び空調装置の遠隔始動を行うシステムにおいて、車載装置は、車両の位置情報（現在位置）に基づき、エンジンのアイドリング継続時間等の制御（制限）を行う技術が知られている（例えば、特許文献１等参照）。
【先行技術文献】
【特許文献】
【０００３】
【特許文献１】特開平１１−６２７９３号公報
【発明の概要】
【発明が解決しようとする課題】
【０００４】
しかしながら、特許文献１では、ユーザの位置が考慮されないため、問題が生じる可能性がある。例えば、空調装置の作動時間が設定されている場合に、ユーザと車両との間の距離が比較的大きく離れているにもかかわらず、自宅等で利用する場合と同様の作動時間の設定が行われると、ユーザが到着するよりもずっと前に、空調装置が停止し、ユーザが到着する前に冷えた状態（冬場）や温まった状態（夏場）に戻ってしまう可能性がある。
【０００５】
そこで、上記課題に鑑み、ユーザが車両から離れた位置から車両の空調装置を始動させる場合に、ユーザの位置情報を考慮して空調装置を作動させることが可能なリモート空調始動システム等を提供することを目的とする。
【課題を解決するための手段】
【０００６】
上記目的を達成するため、本発明の一実施形態では、
ユーザの携帯端末と、前記携帯端末と通信可能なセンタサーバと、空調装置を備え、前記センタサーバと通信可能な車両と、を含み、ユーザによる所定操作に基づき前記携帯端末から前記センタサーバに送信される始動要求に応じて前記空調装置を始動させるリモート空調始動システムであって、
前記携帯端末の位置情報を取得するユーザ位置情報取得部と、
前記車両の位置情報を取得する車両位置情報取得部と、
前記携帯端末の位置情報と前記車両の位置情報とに基づき、前記始動要求に基づく始動タイミングを含む前記空調装置の制御を行う制御部と、を備える、
リモート空調始動システムが提供される。
【０００７】
本実施形態によれば、携帯端末からセンタサーバに送信される始動要求に応じて、車両の空調装置が始動される。そして、制御部は、携帯端末の位置情報と車両の位置情報とに基づき、始動タイミングを含む空調装置の制御を行う。従って、携帯端末の位置情報からユーザの位置を把握することができるため、ユーザの位置を考慮して空調装置を作動させることができる。
【０００８】
また、上述の実施形態において、
前記制御部は、前記始動要求に基づき前記空調装置を始動させ、当該始動以降を起点として設定時間が経過した場合、前記空調装置を停止させると共に、前記車両の位置情報と前記携帯端末の位置情報とに基づく前記車両と前記携帯端末との距離が長くなるほど、前記設定時間を長くする、又は、前記空調装置を始動させるタイミングを遅くしてもよい。
【０００９】
本実施形態によれば、空調装置の始動後、始動以降の起点（例えば、当該始動自体が起点とされてもよいし、当該始動以降で、他の条件が成立したときが起点とされてもよい）から設定時間が経過すると、空調装置を停止される。そして、車両と携帯端末の距離が長くなるほど、設定時間が長くなる、或いは、空調装置の始動タイミングが遅くなる。従って、例えば、ユーザが到着するよりもずっと前に、空調装置が停止し、ユーザが到着する前に冷えた状態（冬場）や温まった状態（夏場）に戻ってしまうような事態を抑制することができる。
【００１０】
また、上述の実施形態において、
前記制御部は、前記携帯端末から前記始動要求が送信された後において、前記携帯端末の位置情報に基づきユーザの立ち止まりの行動又は車両から離れる行動が確認された場合、前記設定時間を長くする、又は、前記空調装置を始動させるタイミングを遅くしてもよい。
【００１１】
本実施形態によれば、ユーザの立ち止まりの行動や車両から離れる行動により車両に到着するタイミングが遅れたとしても、ユーザが到着する前に冷えた状態（冬場）や温まった状態（夏場）に戻ってしまうような事態を抑制することができる。
【００１２】
また、上述の実施形態において、
前記制御部は、前記携帯端末の位置情報と前記車両の位置情報とに基づく前記車両と前記携帯端末との距離が所定閾値を超えている場合、前記空調装置の始動を制限してもよい。
【００１３】
本実施形態によれば、例えば、車両とユーザとの距離が離れすぎており、空調装置の作動時間が非常に長くなり過ぎるような状況では、空調装置の始動が制限されるため、空調装置の作動時間が非常に長くなり、無駄にエネルギが消費されるような事態を抑制することができる。
【００１４】
また、上述の実施形態において、
前記制御部は、前記携帯端末の位置情報に基づき把握された、前記所定操作の入力からユーザが前記車両に到着するまでの過去のユーザの行動パターンに関する学習データに基づき、前記空調装置を制御してもよい。
【００１５】
本実施形態によれば、ユーザの位置情報に加えて、過去のユーザの行動パターンを考慮することができるため、例えば、ユーザが到着までにかかる時間を考慮し、到着時刻に設定温度になるように、空調装置を制御する等ユーザに合わせた空調制御を実現することができる。
【００１６】
また、上述の実施形態において、
前記携帯端末に設けられ、前記制御部によって、前記携帯端末の位置情報と前記車両の位置情報とに基づき、前記空調装置が制御される場合に、ユーザにその旨を通知する通知部を備えてもよい。
【００１７】
本実施形態によれば、ユーザの位置情報を考慮して空調装置が制御される場合、ユーザにその旨が通知されるため、例えば、ユーザにより設定された内容（例えば、空調装置の作動時間等）から制御仕様が変更された場合に、ユーザに違和感を与えてしまうような事態を抑制できる。
【００１８】
また、本発明の他の実施形態では、
ユーザの携帯端末と、前記携帯端末と通信可能なセンタサーバと、空調装置を備え、前記センタサーバと通信可能な車両と、を含み、ユーザによる所定操作に基づき前記携帯端末から前記センタサーバに送信される始動要求に応じて前記空調装置を始動させるリモート空調始動システムであって、
前記携帯端末の位置情報を取得するユーザ位置情報取得部と、
前記車両の位置情報を取得する車両位置情報取得部と、
前記携帯端末に設けられ、前記携帯端末の位置情報と、前記車両の位置情報とに基づき、前記携帯端末から設定可能な前記空調装置の始動タイミングを含む制御仕様に関する推奨情報、又は前記空調装置の始動制限を推奨する制限情報を通知する通知部と、を備える、
リモート空調始動システムが提供される。
【００１９】
本実施形態によれば、携帯端末からセンタサーバに送信される始動要求に応じて、車両の空調装置が始動される。そして、携帯端末では、携帯端末の位置情報と車両の位置情報とに基づき、携帯端末から設定可能な空調装置の制御仕様に関する推奨情報、又は空調装置の始動制限を推奨する制限情報がユーザに通知される。従って、携帯端末の位置情報に基づく空調装置の制御仕様に関する推奨情報や始動制限を推奨する制限情報がユーザに通知されることにより、ユーザは、推奨情報や制限情報に対応する操作を携帯端末で行い、空調装置の各種設定を変更したり、空調装置の始動を取りやめたりすることができる。そのため、ユーザの位置を考慮して空調装置を作動させることができる。
【００２０】
また、上述の実施形態において、
前記始動要求に基づき、前記空調装置を始動させ、当該始動以降を起点として設定時間が経過した場合、前記空調装置を停止させる制御部を備え、
前記通知部は、前記携帯端末の位置情報と前記車両の位置情報とに基づく前記車両と前記携帯端末との距離が長くなるほど、前記設定時間を長くする、又は、始動タイミングを遅くする前記推奨情報を通知してもよい。
【００２１】
本実施形態によれば、空調装置の始動後、始動以降の起点（例えば、当該始動自体が起点とされてもよいし、当該始動以降で、他の条件が成立したときが起点とされてもよい）から設定時間が経過すると、空調装置を停止される。そして、携帯端末では、車両と携帯端末の距離が長くなるほど、設定時間を長くする、或いは、空調装置の始動タイミングを遅くする推奨情報が通知される。従って、ユーザが当該推奨情報に対応する操作を携帯端末で行うことにより、例えば、ユーザが到着するよりもずっと前に、空調装置が停止し、ユーザが到着する前に冷えた状態（冬場）や温まった状態（夏場）に戻ってしまうような事態を抑制することができる。
【００２２】
また、上述の実施形態において、
前記通知部は、前記携帯端末の位置情報と前記車両の位置情報とに基づく前記車両と前記携帯端末との距離が所定閾値を超えている場合、前記空調装置の始動制限を推奨する前記制限情報を通知してもよい。
【００２３】
本実施形態によれば、例えば、車両とユーザとの距離が離れすぎており、空調装置の作動時間が非常に長くなり過ぎるような状況では、制限情報が通知されるため、ユーザが制限情報に対応する操作を携帯端末で行い、空調装置の始動を取りやめる等することにより、空調装置の作動時間が非常に長くなり、無駄にエネルギが消費されるような事態を抑制することができる。
【００２４】
また、本発明の更に他の実施形態は、センタサーバにより実現される。
【発明の効果】
【００２５】
上述の実施形態によれば、ユーザが車両から離れた位置から車両の空調装置を始動させる場合に、ユーザの位置情報を考慮して空調装置を作動させることが可能なリモート空調始動システム等を提供することができる。
【図面の簡単な説明】
【００２６】
【図１】リモート空調始動システムの構成の一例を示す構成図である。
【図２】第１実施形態に係る車両（エアコンＥＣＵ、エンジンＥＣＵ）の機能構成の一例を示す機能ブロック図である。
【図３】センタサーバ（処理装置）の機能構成の一例を示す機能ブロック図である。
【図４】携帯端末（処理装置）の機能構成の一例を示す機能ブロック図である。
【図５】第１実施形態に係るリモート空調始動システムの動作の一例を示すシーケンス図である。
【発明を実施するための形態】
【００２７】
以下、図面を参照して発明を実施するための形態について説明する。
【００２８】
まず、図１〜図４を参照して、本実施形態に係るリモート空調始動システム１の構成について説明する。
【００２９】
図１は、本実施形態に係るリモート空調始動システム１の構成の一例を示す構成図である。図２は、車両２（エアコンＥＣＵ６０、エンジンＥＣＵ８０）の機能構成の一例を示す機能ブロック図である。図３は、センタサーバ１００（処理装置１２０）の機能構成の一例を示す機能ブロック図である。図４は、携帯端末２００（処理装置２２０）の機能構成の一例を示す機能ブロック図である。
【００３０】
リモート空調始動システム１は、車両２、センタサーバ１００、ユーザが所持する携帯端末２００を含み、携帯端末２００からセンタサーバ１００を介して車両２に送信される始動要求に応じて、車両２の後述する空調装置１０を始動させる。
【００３１】
車両２は、空調装置１０、リアデフロスタ２０、室温センサ３０、外気温センサ４０、ＧＰＳ（Global Positioning System）モジュール５０、エアコンＥＣＵ（Electronic Control Unit）６０、エンジン７０、エンジンＥＣＵ８０、ＤＣＭ９０を含む。
【００３２】
空調装置１０は、車両２の室内の温度等を調整する。空調装置１０は、例えば、エバポレータ（不図示）、エンジン７０で駆動されるコンプレッサ（不図示）等を含む冷凍サイクルと、エンジン７０の冷却水を熱源とするヒータ（不図示）とを含む。空調装置１０は、エアコンＥＣＵ６０（後述する空調制御部６０１）の制御の下、エバポレータを通過し冷やされた空気（冷気）と、エンジン７０の冷却水を熱源として温められた空気（温気）との比率を変更可能に適宜混合することより、吹出口から送出される空気の温度を調整する。また、空調装置１０は、デフロスタモードを有し、デフロスタモードに対応する吹出口から車両２のフロントウィンドウに沿って、比較的湿度が低く、温度が高い空気を送出することにより、車両２のフロントウィンドウの室外側に発生する霜や室内側に発生する曇りを除去する。
【００３３】
リアデフロスタ２０は、エアコンＥＣＵ６０の制御の下、車両２のリアウィンドウの室外側に発生する霜や室内側に発生する曇りを除去する。リアデフロスタ２０は、例えば、リアウィンドウ内に内蔵される電熱線を含む。
【００３４】
室温センサ３０は、車両２の室内、例えば、インストルメントパネル（不図示）の内部に設けられ、室内の温度（室内温度）を検出する。室温センサ３０は、１対１の通信線等を介して、エアコンＥＣＵ６０と通信可能に接続され、検出される室内温度に対応する検出信号は、エアコンＥＣＵ６０に送信される。
【００３５】
外気温センサ４０は、車両２の室外、例えば、車両２の前部に設けられるエンジンルームの前端部（外気が導入される部分）、即ち、車両２のフロントグリルの裏側に設けられ、車両２の室外の温度（外気温度）を検出する。外気温センサ４０は、１対１の通信線等を介して、エアコンＥＣＵ６０と通信可能に接続され、検出される室内温度に対応する検出信号は、エアコンＥＣＵ６０に送信される。
【００３６】
ＧＰＳモジュール５０は、車両２の上空の３以上（好ましくは、４以上）の衛星から送信されるＧＰＳ信号を受信し、自己が搭載される車両２の位置を測位する。ＧＰＳモジュール５０は、１対１の通信線やＣＡＮ等の車載ネットワークを通じてエンジンＥＣＵ８０等と通信可能に接続され、測位された車両２の位置情報は、エンジンＥＣＵ８０等に送信される。
【００３７】
エアコンＥＣＵ６０は、空調装置１０、リアデフロスタ２０に関する各種制御を行う電子制御ユニットである。エアコンＥＣＵ６０は、その機能が任意のハードウェア、ソフトウェア、或いはその組み合わせにより実現されてよく、例えば、ＣＰＵ，ＲＡＭ，ＲＯＭ，Ｉ／Ｏ等を含むマイクロコンピュータを中心として構成されてよい。エアコンＥＣＵ６０は、例えば、ＲＯＭに格納される１以上のプログラムをＣＰＵ上で実行することにより実現される機能部として、空調制御部６０１を含む。
【００３８】
空調制御部６０１は、設定温度、モード（吹出口の組み合わせによる複数の吹出口モードやデフロスタモード）等の設定状態に応じて、空調装置１０を作動制御する。具体的には、空調制御部６０１は、室温センサ３０、外気温センサ４０等の検出値に基づき、例えば、室内温度が設定温度になるように、空調装置１０を作動制御する。また、空調制御部６０１は、設定状態（ＯＮ／ＯＦＦ）に応じて、リアデフロスタ２０の作動制御（ＯＮ／ＯＦＦ制御）を行う。また、空調制御部６０１は、後述する遠隔操作支援制御部８０２からの空調始動要求に応じて、空調装置１０を始動させると共に、空調始動要求に含まれる設定内容に応じて、空調装置１０の作動制御を行う。遠隔操作支援制御部８０２からの空調始動要求に応じた制御内容の詳細については、詳述する。
【００３９】
エンジン７０は、車両２の駆動力源である。エンジン７０は、エンジンＥＣＵ８０の制御の下、燃料タンク（不図示）から燃料ポンプを介して供給されるガソリンや軽油等を気筒内で燃焼させることにより作動する。エンジン７０、具体的には、エンジン７０に組み込まれる各種アクチュエータ（燃料を噴射する燃料噴射装置、気筒内に噴射されたガソリンを着火させる点火装置、吸気や排気のバルブの開閉タイミング変更するための電動モータ等）は、１対１の通信線等を介して、エンジンＥＣＵ８０と通信可能に接続され、エンジンＥＣＵ８０から送信される制御指令に応じて作動する。
【００４０】
エンジンＥＣＵ８０は、スタータ（不図示）を含むエンジン７０の各種制御処理を行う電子制御ユニットである。エンジンＥＣＵ８０は、その機能が任意のハードウェア、ソフトウェア、或いはその組み合わせにより実現されてよく、例えば、ＣＰＵ，ＲＡＭ，ＲＯＭ，Ｉ／Ｏ等を含むマイクロコンピュータを中心に構成されてよい。エンジンＥＣＵ８０は、例えば、ＲＯＭに格納される１以上のプログラムを実行することにより実現される機能部として、エンジン制御部８０１、遠隔操作支援制御部８０２を含む。
【００４１】
エンジン制御部８０１は、車両２の運転者による操作状態（例えば、アクセル開度、図示しない変速機の選択された変速段等）、車両２の周辺の環境状態（例えば、外気温）等に応じて、エンジン７０の作動制御を行う。例えば、エンジン制御部８０１は、イグニッションスイッチ（ＩＧスイッチ）がＯＮ（ＩＧ−ＯＮ）されたり、外部から始動要求が入力されたりした場合、エンジン７０を始動させる。具体的には、エンジン制御部８０１は、スタータを通電させるリレー（不図示）を接続状態に切り替えて、スタータを駆動させると共に、スタータによるクランキングに合わせて、燃料噴射装置、点火装置に適宜制御することにより、エンジン７０を始動させる。
【００４２】
遠隔操作支援制御部８０２は、携帯端末２００からセンタサーバ１００を経由して受信される始動要求に応じて、エンジン制御部８０１及び空調制御部６０１に、それぞれ、エンジン始動要求及び空調始動要求を送信することにより、エンジン７０及び空調装置１０を始動させる。また、遠隔操作支援制御部８０２は、エンジン７０及び空調装置１０の始動後、当該始動以降を起点として、始動要求に含まれる設定作動時間、或いは、後述の如く、最適化制御部１２０３により決定された制御仕様に係る設定作動時間が経過した場合、空調装置１０及びエンジン７０を停止させる。例えば、遠隔操作支援制御部８０２は、エンジン７０及び空調装置１０の始動自体を起点として、設定作動時間が経過した場合、空調装置１０及びエンジン７０を停止させてもよいし、エンジン７０及び空調装置１０の始動以降で、他の条件が成立したとき（例えば、室内温度が所定基準まで上昇したと判断されたとき）を起点として、空調装置１０及びエンジン７０を停止させてもよい。遠隔操作支援制御部８０２による処理の詳細は、後述する。
【００４３】
尚、遠隔操作支援制御部８０２の機能は、エアコンＥＣＵ６０に設けられてもよいし、エアコンＥＣＵ６０及びエンジンＥＣＵ８０と通信可能な他のＥＣＵに設けられてもよい。
【００４４】
ＤＣＭ９０は、所定の通信ネットワークＮ１（例えば、多数の基地局を末端とする携帯電話網やインターネット網等）を通じて、センタサーバ１００、携帯端末２００と双方向で通信を行う通信デバイスである。エアコンＥＣＵ６０、エンジンＥＣＵ８０、ＤＣＭ９０は、ＣＡＮ等の車載ネットワークを通じて、相互に通信可能に接続される。
【００４５】
センタサーバ１００は、通信機器１１０、処理装置１２０を含む。
【００４６】
通信機器１１０は、処理装置１２０（通信処理部１２０１）による制御の下、通信ネットワークＮ１、Ｎ２を介して、車両２（ＤＣＭ９０）、携帯端末２００と双方向で通信を行うデバイスである。
【００４７】
処理装置１２０は、センタサーバ１００における各種制御処理を実行する。処理装置１２０は、例えば、ＣＰＵ，ＲＡＭ，ＲＯＭ、Ｉ／Ｏ等を含む１又は複数のサーバコンピュータを中心に構成されてよく、ＲＯＭに格納される１以上のプログラムをＣＰＵ上で実行することにより実現される機能部として、通信処理部１２０１、中継制御部１２０２、最適化制御部１２０３を含む。
【００４８】
通信処理部１２０１は、通信機器１１０を制御し、車両２との間及び携帯端末２００との間での各種信号（制御信号、情報信号等）の送受信を行う。
【００４９】
中継制御部１２０２は、車両２と携帯端末２００との間の各種信号の中継を行う。詳細は、後述する。
【００５０】
最適化制御部１２０３（ユーザ位置情報取得部、車両位置情報取得部、制御部、指令部の一例）は、通信処理部１２０１を介して、車両２及び携帯端末２００から取得する車両２の位置情報及び携帯端末２００の位置情報に基づき、空調装置１０の制御仕様（制御内容）を決定する。車両２と携帯端末２００（即ち、携帯端末２００を所持するユーザの位置）との位置関係に応じて、ユーザが携帯端末で始動要求に対応する操作を行ってから車両２に到着するまでの経過時間等が異なりうるからである。例えば、最適化制御部１２０３は、車両２と携帯端末２００との距離が長くなるほど、空調装置１０の作動時間（設定作動時間）が長くなるように、空調装置１０の制御仕様を決定する。また、例えば、最適化制御部１２０３は、車両２と携帯端末２００との距離が長くなるほど、携帯端末２００からの始動要求に応じて空調装置１０を始動させるタイミングが遅くなるように、空調装置１０の制御仕様を決定する。また、例えば、最適化制御部１２０３は、車両２と携帯端末２００との距離が離れすぎている（車両２と携帯端末２００との距離Ｄが所定距離Ｄｌｉｍを超えている場合）、空調装置１０の始動を制限する（例えば、始動を禁止したり、風量等を制限した上で始動させる等する）ように、空調装置１０の制御仕様を決定する。
【００５１】
また、最適化制御部１２０３は、通信処理部１２０１により携帯端末２００から始動要求が受信された後、携帯端末２００の位置情報に基づき、ユーザの異常行動（例えば、ユーザの立ち止まりの行動や車両から離れる行動等）が確認された場合、空調装置１０の制御仕様を変更する。例えば、最適化制御部１２０３は、ユーザの立ち止まり或いは車両から離れる行動が確認された場合、空調装置１０の設定作動時間を長くしてよい。また、例えば、最適化制御部１２０３は、ユーザの立ち止まり或いは車両から離れる行動が確認された場合、空調装置１０の始動前であれば、空調装置１０の始動タイミングを遅くしてもよい。この際、最適化制御部１２０３は、携帯端末２００の位置情報が所定時間以上変化しない（所定範囲内で留まっている）場合、ユーザが途中の施設に立寄る等により立ち止まりの行動を行っていると判断してよい。また、最適化制御部１２０３は、例えば、携帯端末２００の位置情報が所定時間以上で車両２から離れる方向に移動していることを示す場合、ユーザが車両２から離れる行動を行っていると判断してよい。
【００５２】
また、最適化制御部１２０３は、更に、過去のユーザの行動パターン、具体的には、ユーザが携帯端末２００における始動要求に対応する所定操作を行ってから車両２に到着するまでの移動経路、所要時間、経路途中での他の場所への立寄りの有無等の過去のユーザの行動パターンに関する学習データに基づき、空調装置１０の制御仕様を決定してもよい。この場合、最適化制御部１２０３は、通信処理部１２０１を介して、通信処理部１２０１による携帯端末２００からの始動要求の受信タイミングに基づき、携帯端末２００における始動要求に対応する所定操作が行われた時刻（日時）を把握することができる。また、最適化制御部１２０３は、車両２にユーザの到着の通知（具体的には、車両２のドアの解錠及び開扉が行われたことの通知）を要求し、当該要求に応じて、車両２から返信される到着応答により、車両２にユーザが到着した時刻（日時）を把握することができる。また、最適化制御部１２０３は、通信処理部１２０１により携帯端末２００から始動要求が受信されてから車両２より到着通知が受信されるまでの間で、通信処理部１２０１を介して定期的に取得される携帯端末２００の位置情報の時系列データに基づき、ユーザの移動経路、経路途中での立寄りの有無等を把握することができる。携帯端末２００における始動要求に対応する所定操作が行われた時刻、ユーザが車両２に到着した時刻、及び携帯端末２００の位置情報の時系列データ等は、センタサーバ１００内の記憶装置（不図示）にデータベースとして蓄積される。そして、当該データベース内のデータに基づき、適宜、既知の学習処理が実行されることにより、学習データが生成され、記憶装置内に格納される。例えば、最適化制御部１２０３は、車両２の情報と携帯端末２００の位置情報と当該学習データとに基づき、ユーザが車両２に到着するタイミング（時刻）を予測し、少なくとも到着時刻までは空調装置１０が作動するように、設定作動時間を決定したり、到着時刻の少し前に設定温度に到着するように、空調装置の出力（風量等）を決定したり等する。
【００５３】
最適化制御部１２０３は、生成した制御仕様を携帯端末２００に送信する（制御内容通知）。
【００５４】
携帯端末２００は、例えば、車両２のユーザが所持するスマートフォン、タブレット端末等である。携帯端末２００は、通信機器２１０、処理装置２２０、タッチパネルディスプレイ（以下、単にディスプレイと称する）２４０を含む。
【００５５】
通信機器２１０は、処理装置２２０（通信処理部２２０１）による制御の下、所定の通信ネットワークＮ２（例えば、多数の基地局を末端とする携帯電話網やインターネット網）を通じて、センタサーバ１００と双方向で通信を行うデバイスであり、例えば、ＬＴＥ（Long Term Evolution）モジュールである。
【００５６】
処理装置２２０は、携帯端末２００における各種制御処理を行う。処理装置２２０は、例えば、ＣＰＵ，ＲＡＭ，ＲＯＭ、Ｉ／Ｏ等を含むコンピュータを中心に構成されてよく、ＲＯＭに格納される１以上のプログラムをＣＰＵ上で実行することにより実現される機能部として、通信処理部２２０１、表示制御部２２０２、遠隔操作部２２０３、制御内容通知部２２０４を含む。
【００５７】
通信処理部２２０１は、通信機器２１０を制御し、センタサーバ１００との間での各種信号の送受信を行う。
【００５８】
表示制御部２２０２は、ディスプレイ２４０に各種画像を表示させる。例えば、表示制御部２２０２は、ディスプレイ２４０に操作画面としての各種ＧＵＩ（Graphical User Interface）を表示させる。
【００５９】
遠隔操作部２２０３は、表示制御部２２０２によりディスプレイ２４０に表示される所定のＧＵＩに対するユーザの所定操作に応じて、エンジン７０及び空調装置１０の始動を要求する始動要求を含む空調装置１０のリモート操作に係る各種信号を、通信処理部２２０１を介してセンタサーバ１００に送信する。これにより、例えば、センタサーバ１００に送信された始動要求が、センタサーバ１００（中継制御部１２０２）を中継して、車両２に送信され、エンジン７０及び空調装置１０が始動される。また、ユーザは、所定のＧＵＩ上で、空調装置１０を作動させる際の各種設定を行うことができ、遠隔操作部２２０３は、当該各種設定を含む始動要求等の各種信号をセンタサーバ１００に送信する。これにより、車両２において、設定内容（ユーザによる室内温度の要求値としての設定温度やユーザによる空調装置１０の作動時間の要求値としての設定作動時間等）に基づく空調装置１０の制御が行われる。また、遠隔操作部２２０３は、表示制御部２２０２（制御内容通知部２２０４）によりディスプレイ２４０に表示される、後述する空調装置１０の制御仕様を含む所定のＧＵＩにおいて、当該制御仕様の実行を許可する操作（許可操作）或いは制御仕様が複数ある場合における複数の制御仕様の中から１の制御仕様を選択する操作（選択操作）が行われた場合、通信処理部１２０１を介して、センタサーバ１００に許可通知（或いは選択内容通知）を送信する。遠隔操作部２２０３による処理の詳細は、後述する。
【００６０】
制御内容通知部２２０４（通知部の一例）は、通信処理部２２０１によりセンタサーバ１００から受信される制御内容通知に基づき、表示制御部２２０２を介して、センタサーバ１００から送信された制御内容通知に含まれる空調装置１０の制御仕様に係る情報をディスプレイ２４０に表示する。制御内容通知部２２０４による処理の詳細は、後述する。
【００６１】
ＧＰＳモジュール２３０は、携帯端末２００の上空の３以上（好ましくは、４以上）の衛星から送信されるＧＰＳ信号を受信し、自己が搭載される携帯端末２００の位置を測位する。測位された携帯端末２００の位置情報は、処理装置２２０に入力される。
【００６２】
尚、携帯端末２００の位置情報は、ＧＰＳモジュール２３０によるＧＰＳ測位に代えて、或いは、加えて、基地局との間での信号のやり取りに基づく基地局測位により取得されてもよい。
【００６３】
次に、図５を参照して、リモート空調始動システム１の具体的な動作について説明をする。
【００６４】
図５は、本実施形態に係るリモート空調始動システム１の動作の一例を概略的に示すシーケンス図である。
【００６５】
ステップＳ５０２にて、携帯端末２００の遠隔操作部２２０３は、ユーザによる所定のＧＵＩに対する所定操作に応じて、各種設定内容（設定温度、設定作動時間等）を含む始動要求を、通信処理部１２０１（第１送信部の一例）を介して、センタサーバ１００に送信する。
【００６６】
ステップＳ５０４にて、センタサーバ１００の中継制御部１２０２は、通信処理部１２０１（第１受信部の一例）により携帯端末２００からの始動要求が受信された場合、通信処理部１２０１（第２送信部の一例）を介して、当該始動要求を車両２に転送する。
【００６７】
ステップＳ５０６にて、車両２のエアコンＥＣＵ６０、エンジンＥＣＵ８０等のリモート空調始動システム１に関連するサブシステムは、ＤＣＭ９０により受信された始動要求に置応じて、起動する（電源ＯＮされる）。
【００６８】
一方、センタサーバ１００の通信処理部１２０１による始動要求の転送（ステップＳ５０４）の後、ステップＳ５０８にて、最適化制御部１２０３は、通信処理部１２０１を介して、携帯端末２００の位置情報の送信を要求するユーザ位置情報要求を携帯端末２００に送信する。
【００６９】
ステップＳ５１０にて、携帯端末２００の通信処理部は、センタサーバ１００からユーザ位置情報要求を受信すると、ＧＰＳモジュール２３０から処理装置２２０に入力される携帯端末２００の位置情報をＲＡＭ上のバッファ等から取得し、センタサーバ１００に送信する（ユーザ位置情報応答）。
【００７０】
ステップＳ５１２にて、センタサーバ１００の最適化制御部１２０３は、通信処理部１２０１により携帯端末２００からユーザ位置情報応答が受信されると、通信処理部１２０１を介して、車両２の位置情報の送信を要求する車両位置情報要求を車両２に送信する。
【００７１】
ステップＳ５１４にて、車両２の遠隔操作支援制御部８０２は、ＤＣＭ９０によりセンタサーバ１００から車両位置情報要求が受信されると、ＧＰＳモジュール５０からエンジンＥＣＵ８０に入力される車両２の位置情報をＲＡＭ上のバッファ等から取得し、センタサーバ１００に送信する（車両位置情報応答）。
【００７２】
ステップＳ５１６にて、センタサーバ１００の最適化制御部１２０３は、通信処理部１２０１により車両２から車両位置情報応答が受信されると、上述の如く、車両２及び携帯端末２００から受信された車両２の位置情報及び携帯端末２００の位置情報に基づき、制御仕様（制御内容）を決定する。
【００７３】
ステップＳ５１８にて、センタサーバ１００の最適化制御部１２０３は、生成した制御仕様を含む制御内容通知を、通信処理部１２０１を介して携帯端末２００に送信する。
【００７４】
ステップＳ５２０にて、携帯端末２００の制御内容通知部２２０４は、上述の如く、表示制御部２２０２を介して、ディスプレイ２４０に制御内容通知に含まれる空調装置１０の推奨される制御仕様を表示させる。
【００７５】
ステップＳ５２２にて、センタサーバ１００の遠隔操作部２２０３は、空調装置１０の制御仕様の表示を含むディスプレイ２４０に表示されるＧＵＩに対して、表示される制御仕様の実行を許可する許可操作、或いは、推奨される複数の制御仕様の中から１の制御仕様を選択する選択操作を受け付ける。
【００７６】
ステップＳ５２４にて、センタサーバ１００の遠隔操作部２２０３は、通信処理部２２０１を介して、許可通知或いは選択内容通知を送信する。
【００７７】
ステップＳ５２６にて、センタサーバ１００の最適化制御部１２０３は、通信処理部１２０１により許可通知或いは選択内容通知が受信された場合、許可通知或いは選択内容通知に対応する制御仕様を含む制御指令を車両２に送信する。
【００７８】
尚、ユーザがデフォルトの制御仕様や始動要求に含まれるユーザによる各種設定に対応する制御仕様の実行を希望し、センタサーバ１００の最適化制御部１２０３により生成された推奨の制御仕様の実行を拒否する操作（拒否操作）が携帯端末２００で行われた場合、携帯端末２００の遠隔操作部２２０３は、通信処理部２２０１を介して、拒否通知を送信する。そして、センタサーバ１００の最適化制御部１２０３は、通信処理部１２０１により、拒否通知が受信されると、通信処理部１２０１を介して、デフォルトの制御仕様や始動要求に含まれるユーザによる各種設定に対応する制御仕様による制御を指令する制御指令を車両２に送信する。これにより、車両２では、センタサーバ１００の最適化制御部１２０３により決定された制御仕様ではなく、デフォルトの制御仕様やユーザにより設定された制御仕様に基づく空調装置１０の制御が行われる。
【００７９】
ステップＳ５２８にて、車両２の遠隔操作支援制御部８０２は、ＤＣＭ９０によりセンタサーバ１００から制御指令が受信された場合、制御指令の内容（制御仕様）に応じて、エンジン制御部８０１にエンジン始動要求を送り、エンジン７０を始動させる。
【００８０】
併せて、ステップＳ５３０にて、車両２の遠隔操作支援制御部８０２は、ＤＣＭ９０によりセンタサーバ１００から制御指令が受信された場合、センタサーバ１００からの制御指令に含まれる制御仕様を含む空調始動要求を空調制御部６０１に送り、空調装置１０を始動させる。これにより、空調制御部６０１は、空調始動要求に含まれる制御仕様に応じて、空調装置１０を作動制御する。例えば、空調制御部６０１は、空調始動要求に含まれる設定温度に基づき、車両２の室内温度が当該設定温度になるように、空調装置１０を作動制御する。
【００８１】
尚、遠隔操作支援制御部８０２は、制御仕様の中に始動タイミングを遅らせる内容が含まれる場合、制御仕様で規定されるタイミングで、エンジン制御部８０１及び空調制御部６０１にエンジン始動要求及び空調始動要求を送る。
【００８２】
ステップＳ５３２にて、遠隔操作支援制御部８０２は、エンジン７０及び空調装置１０の始動が完了した場合、ＤＣＭ９０を介して、センタサーバ１００にエンジン７０及び空調装置１０始動が完了した旨の始動通知を送信する。
【００８３】
ステップＳ５３４にて、センタサーバ１００の中継制御部１２０２は、通信処理部１２０１により車両２からの始動通知が受信された場合、通信処理部１２０１を介して、始動通知を携帯端末２００に転送する。これにより、例えば、携帯端末２００の表示制御部２２０２は、通信処理部２２０１による始動通知の受信に応じて、エンジン７０及び空調装置１０の始動が正常に完了した旨をディスプレイ２４０に表示させる等し、ユーザにその旨を通知することができる。
【００８４】
ステップＳ５３６にて、携帯端末２００の通信処理部２２０１は、予め規定される、或いは、上述のユーザ位置情報要求で規定される定期的なタイミングで、携帯端末２００の位置情報をセンタサーバ１００に送信する（位置情報更新通知）。
【００８５】
ステップＳ５３８にて、センタサーバ１００の最適化制御部１２０３は、通信処理部１２０１により、位置情報更新通知が受信されると、空調装置１０の制御仕様を変更する必要があるか否かを判定する。具体的には、センタサーバ１００の最適化制御部１２０３は、通信処理部１２０１により受信された位置情報更新通知に含まれる携帯端末２００の最新の位置情報と、今回より前の携帯端末２００の位置情報とに基づき、上述の如く、ユーザの異常行動（ユーザの立ち止まりの行動や車両から離れる行動等）があるか否かを判定する。
【００８６】
センタサーバ１００の最適化制御部１２０３は、制御仕様を変更する必要があると判定した場合、ステップＳ５４０にて、新たな制御仕様を決定し、通信処理部１２０１を介して、新たな制御仕様を含む制御変更指令を車両２に送信する。
【００８７】
ステップＳ５４２にて、車両２の遠隔操作支援制御部８０２は、ＤＣＭ９０により制御変更指令が受信されると、制御変更指令に含まれる新たな制御仕様を含む制御変更要求を空調制御部６０１に送る。これにより、空調制御部６０１は、空調装置１０の制御仕様（例えば、設定作動時間等）を変更し、当該制御仕様にて、空調装置１０の作動制御を行う。
【００８８】
一方、センタサーバ１００の通信処理部１２０１による車両２への制御変更指令の送信（ステップＳ５４０）の後、ステップＳ５４４にて、センタサーバ１００の最適化制御部１２０３は、通信処理部１２０１を介して、新たな制御仕様を含む制御仕様を変更した旨を示す制御内容変更通知を携帯端末２００に送信する。
【００８９】
ステップＳ５４６にて、携帯端末２００の制御内容通知部２２０４は、通信処理部２２０１によりセンタサーバ１００から制御内容変更通知が受信されると、制御内容変更通知に含まれる制御仕様を、表示制御部２２０２を介してディスプレイ２４０に表示させる。これにより、ユーザは、空調装置１０の制御仕様が変更された旨を確認することができる。
【００９０】
尚、制御仕様を変更する場合についても、最初の制御仕様を設定する場合（ステップＳ５１８〜Ｓ５２６）と同様、ユーザによる許可があった場合に、空調装置１０の制御仕様を実際に変更する態様であってもよい。また、逆に、最初の制御仕様を設定する場合について、制御仕様を変更する場合（ステップＳ５３８〜Ｓ５４６）と同様、センタサーバ１００の最適化制御部１２０３により車両２の位置情報と携帯端末２００の位置情報とに基づき決定される制御仕様を事後的に携帯端末２００に通知する態様であってもよい。
【００９１】
ステップＳ５４８にて、車両２の遠隔操作支援制御部８０２は、例えば、エンジン７０及び空調装置１０の始動から設定作動時間が経過した場合、空調制御部６０１に空調停止要求を送信する。これにより、空調制御部６０１は、作動中の空調装置１０を停止させる。
【００９２】
併せて、ステップＳ５５０にて、車両２の遠隔操作支援制御部８０２は、例えば、エンジン７０及び空調装置１０の始動から設定作動時間が経過した場合、エンジン制御部８０１にエンジン停止要求を送る。これにより、エンジン制御部８０１は、エンジン７０を停止させる。
【００９３】
ステップＳ５５２にて、車両２の遠隔操作支援制御部８０２は、空調装置１０及びエンジン７０の停止が完了した場合、ＤＣＭ９０を介して、センタサーバ１００に空調装置１０及びエンジン７０の停止が完了した旨の停止通知を送信する。
【００９４】
ステップＳ５５４にて、センタサーバ１００の中継制御部１２０２は、通信処理部１２０１により車両２からの停止通知が受信された場合、通信処理部１２０１を介して、停止通知を携帯端末２００に転送する。これにより、例えば、携帯端末２００の表示制御部２２０２は、通信処理部２２０１による停止通知の受信に応じて、空調装置１０及びエンジン７０の停止が正常に完了した旨をディスプレイ２４０に表示させる等し、ユーザにその旨を通知することができる。
【００９５】
このように、本実施形態では、ユーザの所定操作（に基づく遠隔操作部２２０３からの要求）に応じて、通信処理部２２０１によりセンタサーバ１００に送信される始動要求に応じて、車両２の空調装置１０が始動される。そして、最適化制御部１２０３は、携帯端末２００の位置情報と車両２の位置情報とに基づき、始動タイミングを含む空調装置１０の制御を行う（具体的には、制御仕様を決定し、当該制御仕様を含む制御指令を、通信処理部１２０１を介して車両２に送信する）。従って、携帯端末２００の位置情報からユーザの位置を把握することができるため、ユーザの位置を考慮して空調装置１０を作動させることができる。
【００９６】
尚、本実施形態では、携帯端末２００の制御内容通知部２２０４によりユーザに制御仕様が通知され、且つ、ユーザによる許可操作がされることを前提として、携帯端末２００の位置情報と車両２の位置情報とに基づき、空調装置１０の制御が行われるが、ユーザに対する通知やユーザによる許可操作が省略される態様であってもよい。
【００９７】
また、本実施形態では、センタサーバ１００の最適化制御部１２０３は、携帯端末２００からセンタサーバ１００に送信される始動要求に基づき空調装置１０を始動させ、当該始動以降を起点として設定作動時間が経過した場合、空調装置１０を停止させると共に、車両２の位置情報と携帯端末２００の位置情報とに基づく車両２と携帯端末２００との距離が長くなるほど、設定作動時間を長くする、又は、空調装置１０を始動させるタイミングを遅くする。従って、例えば、ユーザが到着するよりもずっと前に、空調装置１０が停止し、ユーザが到着する前に冷えた状態（冬場）や温まった状態（夏場）に戻ってしまうような事態を抑制することができる。
【００９８】
また、本実施形態では、センタサーバ１００の最適化制御部１２０３は、携帯端末２００から始動要求が送信された後において、携帯端末２００の位置情報に基づきユーザの立ち止まりの行動又は車両から離れる行動が確認された場合、設定作動時間を長くする、又は、空調装置１０を始動させるタイミングを遅くする。これにより、ユーザの立ち止まりの行動や車両から離れる行動により車両に到着するタイミングが遅れたとしても、ユーザが到着する前に冷えた状態（冬場）や温まった状態（夏場）に戻ってしまうような事態を抑制することができる。
【００９９】
また、本実施形態では、センタサーバ１００の最適化制御部１２０３は、携帯端末２００の位置情報と車両２の位置情報とに基づく車両２と携帯端末２００との距離が所定閾値を超えている場合、空調装置１０の始動を制限する。これにより、例えば、車両２とユーザとの距離が離れすぎており、空調装置１０の作動時間が非常に長くなり過ぎるような状況では、空調装置１０の始動が制限されるため、空調装置１０の作動時間が非常に長くなり、無駄にエネルギが消費されるような事態を抑制することができる。
【０１００】
また、本実施形態では、センタサーバ１００の最適化制御部１２０３は、携帯端末２００の位置情報に基づき把握された、所定操作の入力からユーザが車両２に到着するまでの過去のユーザの行動パターンに関する学習データに基づき、空調装置１０を制御する。これにより、ユーザの位置情報に加えて、過去のユーザの行動パターンを考慮することができるため、例えば、ユーザが到着までにかかる時間を考慮し、到着時刻に設定温度になるように、空調装置１０を制御する等ユーザに合わせた空調制御を実現することができる。
【０１０１】
また、本実施形態では、携帯端末２００の制御内容通知部２０４は、携帯端末２００の位置情報と車両２の位置情報とに基づき、空調装置１０が制御される場合（具体的には、携帯端末２００の位置情報と車両の位置情報とに基づき決定された制御仕様により、空調装置１０が制御される場合）に、ユーザにその旨を通知する。これにより、ユーザの位置情報を考慮して空調装置１０が制御される場合、ユーザにその旨が通知されるため、例えば、ユーザにより設定された内容（例えば、空調装置１０の設定作動時間等）から制御仕様が変更された場合に、ユーザに違和感を与えてしまうような事態を抑制できる。
【０１０２】
また、本実施形態では、携帯端末２００の制御内容通知部２２０４は、携帯端末２００の位置情報と、車両２の位置情報とに基づき、携帯端末２００から設定可能な空調装置１０の制御仕様に関する推奨情報、又は空調装置１０の始動制限を推奨する制限情報を通知する。これにより、携帯端末２００の位置情報に基づく空調装置１０の制御仕様に関する推奨情報や始動制限を推奨する制限情報がユーザに通知されることにより、ユーザは、推奨情報や制限情報に対応する操作（許可操作或いは選択操作）を携帯端末２００で行い、空調装置１０の各種設定を変更したり、空調装置１０の始動を取りやめたりすることができる。そのため、ユーザの位置を考慮して空調装置１０を作動させることができる。
【０１０３】
また、本実施形態において、制御内容通知部２２０４は、携帯端末２００の位置情報と車両２の位置情報とに基づく車両２と携帯端末２００との距離が長くなるほど、設定作動時間を長くする、又は、始動タイミングを遅くする推奨情報を通知する。これにより、ユーザが当該推奨情報に対応する操作（許可操作或いは選択操作）を携帯端末２００で行うことにより、例えば、ユーザが到着するよりもずっと前に、空調装置が停止し、ユーザが到着する前に冷えた状態（冬場）や温まった状態（夏場）に戻ってしまうような事態を抑制することができる。
【０１０４】
また、本実施形態では、携帯端末２００の制御内容通知部２２０４は、携帯端末２００の位置情報と車両２の位置情報とに基づく車両２と携帯端末２００との距離が所定閾値を超えている場合、空調装置１０の始動制限を推奨する制限情報を通知してもよい。これにより、例えば、車両２とユーザとの距離が離れすぎており、空調装置１０の作動時間が非常に長くなり過ぎるような状況では、制限情報が通知されるため、ユーザが制限情報に対応する操作（許可操作或いは選択操作）を携帯端末２００で行い、空調装置１０の始動を取りやめる等することにより、空調装置１０の作動時間が非常に長くなり、無駄にエネルギが消費されるような事態を抑制することができる。
【０１０５】
尚、本実施形態では、設定作動時間が設定され、携帯端末２００からセンタサーバ１００を介して車両２に送信される始動要求に応じて始動された空調装置１０の作動時間が制限されるが、設定作動時間が設定されない態様（即ち、ユーザが車両２に到着するまで、空調装置１０の作動が継続する態様）であってもよい。
【０１０６】
また、本実施形態では、空調装置１０の制御を実質的に行う機能部、即ち、車両２の位置情報と携帯端末２００の位置情報に基づき、空調装置１０の制御仕様を決定するの機能部（制御部の他の例）は、センタサーバ１００（最適化制御部１２０３）の代わりに、携帯端末２００に設けられてもよいし、車両２（例えば、エアコンＥＣＵ６０或いはエンジンＥＣＵ８０等）に設けられてもよい。例えば、携帯端末２００に当該機能部が存在する場合、携帯端末２００には、車両２からセンタサーバ１００を介して車両２の位置情報が送信されると共に、決定された空調装置１０の制御仕様に関する情報は、携帯端末２００からセンタサーバ１００を介して車両２に送信される。また、例えば、車両２に当該機能が存在する場合、車両２には、携帯端末２００からセンタサーバ１００を介して携帯端末２００の位置情報が送信されると共に、決定された空調装置１０の制御仕様に関する情報は、車両２からセンタサーバ１００を介して携帯端末２００に送信される。
【０１０７】
以上、本発明を実施するための形態について詳述したが、本発明はかかる特定の実施形態に限定されるものではなく、特許請求の範囲に記載された本発明の要旨の範囲内において、種々の変形・変更が可能である。
【０１０８】
例えば、本実施形態では、車両２は、動力源としてのエンジン７０を備えるが、エンジン７０に代えて、或いは、加えて、他の動力源としての電動機を備えてもよい。
【０１０９】
また、本実施形態では、空調装置１０（具体的には、空調装置１０のコンプレッサ）は、少なくともエンジン７０を動力源として作動するが、空調装置１０（のコンプレッサ）は、エンジン７０の動力を要さず、車両２に搭載されるバッテリや燃料電池（例えば、車両２に搭載される他の動力源としての電動機に電力を供給する高電圧バッテリや燃料電池）から供給される電力だけで作動する態様であってもよい。この場合、遠隔操作支援制御部８０２は、携帯端末２００からセンタサーバ１００を介して送信される始動要求に応じて、空調装置１０だけを始動させる。但し、遠隔操作支援制御部８０２は、バッテリのＳＯＣ（State Of Charge：蓄電状態）或いは燃料電池の燃料残量が所定閾値（例えば、車両２の動力源としての電動機を駆動するために最低限必要な蓄電状態或いは燃料残量として予め設定される値）以下である場合、ＤＣＭ９０により携帯端末２００からセンタサーバ１００を介して始動要求が受信されても、空調装置１０の始動を禁止してもよい。
【符号の説明】
【０１１０】
１  リモート空調始動システム
２  車両
１０  空調装置
２０  リアデフロスタ
３０  室温センサ
４０  外気温センサ
５０  ＧＰＳモジュール
６０  エアコンＥＣＵ
７０  エンジン
８０  エンジンＥＣＵ
９０  ＤＣＭ
１００  センタサーバ
１１０  通信機器
１２０  処理装置
２００  携帯端末
２１０  通信機器
２２０  処理装置
２３０  ＧＰＳモジュール
２４０  タッチパネルディスプレイ
６０１  空調制御部
８０１  エンジン制御部
８０２  遠隔操作支援制御部
１２０１  通信処理部（送信部）
１２０２  中継制御部
１２０３  最適化制御部（ユーザ情報取得部、車両情報取得部、制御部、指令部）
２２０１  通信処理部
２２０２  表示制御部
２２０３  遠隔操作部
２２０４  制御内容通知部（通知部）
【図１】
2018122838.tif 000003
【図２】
2018122838.tif 000004
【図３】
2018122838.tif 000005
【図４】
2018122838.tif 000006
【図５】
2018122838.tif 000007